(57)【要約】【課題】  かご内もしくは乗場のタッチパネルによるエレベーターの運転操作の一元管理を実現するエレベーター運転操作システムを得る。【解決手段】  エレベーターのかご内または乗場に設置されたタッチパネル１のエレベーターの通常運転時に用いられる基本画面には、階床名が表示された行先釦３と、車椅子釦４と、メニュー釦５とが配置され、行先釦３に触れると行先呼び登録を行なうと共に、車椅子釦４に触れると、車椅子専用運転に切替り、さらにメニュー釦５に触れると、種々の特殊運転指令が行なえる画面に切替えられるようになっている。【選択図】図２
2006282308.tif 000002
【特許請求の範囲】
【請求項１】
エレベーターのかご内または乗場に設置され、上記エレベーターの運転操作に用いられるタッチパネルを備え、上記タッチパネルは、上記エレベーターの通常運転時には行先釦及び上記エレベーターの運転動作を切替える切替釦を表示し、上記行先釦が操作されることにより行先呼び登録を行なうと共に、上記切替釦が操作されることにより上記エレベーターの運転動作が切替えられることを特徴とするエレベーター運転操作システム。
【請求項２】
上記切替釦には、車椅子専用運転を行なう車椅子釦が含まれることを特徴とする請求項１記載のエレベーター運転操作システム。
【請求項３】
上記タッチパネルは、上記切替釦が操作されることにより、上記エレベーターの特殊運転動作を選択する種々の特殊運転指令釦を表示することを特徴とする請求項１記載のエレベーター運転操作システム。
【請求項４】
乗客を認証する認証手段を備え、上記タッチパネルは、上記認証手段により認証された乗客に許可された機能に限定した釦の表示を行なうことを特徴とする請求項１〜請求項３のいずれかに記載のエレベーター運転操作システム。
【発明の詳細な説明】
【技術分野】
【０００１】
この発明は、かご内、もしく乗場に設けられるタッチパネルによって、運転操作を行なうエレベーター運転操作システムに関するものである。
【背景技術】
【０００２】
一般に、エレベーターの呼び登録や運転操作指令の入力装置としては、押し釦やキースイッチなどのハードウェア接点が用いられている。また、非常に稀にタッチパネルを入力装置として用いたものもあるが、行先階の呼び登録を受け付ける程度のものであった。（特許文献１など）
特許文献１には、行き先階登録画面と上下方向ボタン画面が切替えられるように構成されたタッチスクリーンの入力画面を操作することにより、乗場呼び情報が入力制御装置に伝えられるものが、示されている。
特許文献２には、かご操作盤に設けられ、平常時は階床ボタンを表示したタッチパネルが、操作されることにより行先階の呼びを登録すると共に、火災や地震を感知した際には、非常時の運行中である旨のメッセージを表示させるようにしたものが、示されている。
【０００３】
【特許文献１】特開２００１−３０２１２８号公報（第３〜４頁、図１）
【特許文献２】特開２００４−２６４３１号公報（第３頁、図１）
【発明の開示】
【発明が解決しようとする課題】
【０００４】
従来の押し釦やキースイッチなどのハードウェア接点では、用途が決まっており、いろいろな用途に使用しようとする場合には、沢山のハードウェア接点が必要であった。
特許文献１のものは、呼び登録をタッチスクリーンで行なうものにすぎなかった。
また、特許文献２のものも、呼び登録が行なえ、さらに非常時にはメッセージを表示するタッチパネルが示されているとはいえ、呼び登録とメッセージ表示の機能しか持たなかった。
したがって、これら特許文献１、２は、タッチパネルに行先階の呼び登録だけでなく、それ以外の操作機能を持たせ、タッチパネルによるエレベーターの運転操作の一元管理を実現するものではなかった。
【０００５】
この発明は、上述のような課題を解決するためになされたものであり、かご内もしくは乗場のタッチパネルによるエレベーターの運転操作の一元管理を実現するエレベーター運転操作システムを得ることを目的にしている。
【課題を解決するための手段】
【０００６】
この発明に係わるエレベーター運転操作システムにおいては、エレベーターのかご内または乗場に設置され、エレベーターの運転操作に用いられるタッチパネルを備え、タッチパネルは、エレベーターの通常運転時には行先釦及びエレベーターの運転動作を切替える切替釦を表示し、行先釦が操作されることにより行先呼び登録を行なうと共に、切替釦が操作されることによりエレベーターの運転動作が切替えられるものである。
【発明の効果】
【０００７】
この発明は、以上説明したように、エレベーターのかご内または乗場に設置され、エレベーターの運転操作に用いられるタッチパネルを備え、タッチパネルは、エレベーターの通常運転時には行先釦及びエレベーターの運転動作を切替える切替釦を表示し、行先釦が操作されることにより行先呼び登録を行なうと共に、切替釦が操作されることによりエレベーターの運転動作が切替えられるので、タッチパネルにより運転操作を一元的に行うことができ、オプション動作の追加削除がハードウェア機器の変更なく容易に実施可能となる。
【発明を実施するための最良の形態】
【０００８】
実施の形態１．
実施の形態１は、エレベーターのかご内または乗場に設置されるタッチパネルを用いて、エレベーターの様々な運転動作指令を受け付けるようにしたものである。
図１は、この発明の実施の形態１によるエレベーター運転操作システムのシステムダイヤグラムを示すブロック図であり、タッチパネルを呼び登録だけでなくその他の運転動作指令の入力装置として利用する。
図１において、群管理盤２０は、各エレベーター制御盤１５に接続され、複数のエレベーターをグループとして管理制御している。かごタッチパネル１８は、かご内に設置され、ローカルＣＰＵを有するかごステーション１６を経由してエレベーター制御盤１５に接続されている。乗場タッチパネル１９は、各階の乗場に設置され、ローカルＣＰＵを有する乗場ステーション１７を経由してエレベーター制御盤１５に接続されている。
なお、かごタッチパネル１８及び乗場タッチパネル１９は、かごステーション１６または乗場ステーション１７を介さず、専用線で直接エレベーター制御盤１５に接続されてもよい。かごタッチパネル１８及び乗場タッチパネル１９の入出力情報は、エレベーター制御盤１５、及び群管理盤１４にて処理される。
【０００９】
図２は、この発明の実施の形態１によるエレベーター運転操作システムのタッチパネルの基本画面例を示す図であり、エレベーターの通常運転時には、タッチパネルは図２のような状態にある。
図２において、かごタッチパネル１８及び乗場タッチパネル１９のタッチパネル１は、表示されている釦に触れることで運転動作指令の入力を受け付ける。釦及びメッセージ２〜５は、タッチパネル１上に表示され、メッセージ２は、使用方法を解説したもの、行先釦３は、１階〜６階までの行先に対応した数字の表示を行っている。車椅子釦４（切替釦）は、車椅子マークを表示しており、例えばこの車椅子釦４に触れて行先釦３に触れることで、ドアの開け閉め時間を延長した非健常者対応のエレベーター動作へ移行すると共に、行先釦３の階床が呼び登録される。メニュー釦５（切替釦）は、エレベーターの種々の特殊運転動作を選択する特殊運転指令釦を表示する画面である図３へ移行するための釦である。
【００１０】
図３は、この発明の実施の形態１によるエレベーター運転操作システムのタッチパネルのメニュー画面例を示す図であり、図２のメニュー釦５に触れることで表示される画面である。
図３において、エレベーターの種々の特殊運転動作を選択する特殊運転指令釦６には、専用運転釦６ａ、呼び戻し釦６ｂ、休止釦６ｃ、メンテナンス釦６ｄ、運転手付き運転釦６ｅなどがあり、これらの釦に触れることで、それぞれの運転動作指令を受け付け、エレベーターはそれぞれの運転動作に移行する。また、メンテナンス釦６ｄや運転手付き運転釦６ｅは、それに触れると、それぞれを実施するために必要な釦やメッセージが表示された画面に移り、その画面上にて、メンテナンスや運転手付き運転を指令することができるようになっている。
【００１１】
なお、専用運転釦６ａは、荷物の搬入などに使われ、かご内の釦操作のみを有効にした運転を行う釦であり、呼び戻し釦６ｂは、乗場に設置されたタッチパネルから操作されることにより、エレベーターのかごがフリーの状態になるとその乗場に呼び戻される釦であり、休止釦６ｃは、乗場に呼び戻した上、例えば照明を落とすなどして休止状態にする釦であり、メンテナンス釦６ｄは、保守目的でかごを休止または保守用の運転を行わせる釦であり、運転手付き運転釦６ｅは、運転手に運転の権限を持たせて運転を行う釦である。
スケジュール釦７は、スケジュール機能を表示する釦であり、例えば休止指令を予約して行ないたい場合の画面である図４へ切り換えるための釦である。戻る釦８は、図２の基本画面へ戻るための釦である。
【００１２】
図４は、この発明の実施の形態１によるエレベーター運転操作システムのタッチパネルのスケジュール画面例を示す図であり、図３のスケジュール釦７に触れることで表示される画面である。
図４において、時間帯９は、休止動作を予約する時間帯を示しており、この場合１８時から１９時の１時間エレベーターは休止動作を行なうことを示している。上下方向を表示した時間設定釦１０は、時間を設定するための釦であり、上下三角の釦に触れて時間を進めたり戻したりすることが可能である。設定釦１１は、実際に指定した予約時間帯にて休止運転動作を行なわせるための設定を行なう釦であり、解除釦１２は、設定釦１１による設定を解除する釦である。
【００１３】
図５は、この発明の実施の形態１によるエレベーター運転操作システムのセキュリティーシステムと連動した場合のタッチパネルの画面例を示す図である。
図５において、行先釦１３は、セキュリティーカードなどの認証手段により認証された乗客に許可された行先階のみを表示している。メッセージ１４は、行先階が限定されていることに対する説明を示している。
【００１４】
次に、動作について説明する。
図２〜図５のようなタッチパネルを、エレベーターの制御を行なっている制御盤、もしくは複数台のエレベーターのグループを管理する群管理盤と接続することで、本発明の運転操作システムが実現される。
図６は、この発明の実施の形態１によるエレベーター運転操作システムの一般呼び登録時の動作を示すフローチャートである。
次に、図６にしたがって、エレベーターの通常運転時の操作について説明する。
通常、タッチパネルは図２のような状態にある。図２で、階床名が表示された行先釦３に触れる（ステップＳ１）と、その行先釦３の階床名にしたがい、呼びが登録される（ステップＳ２）。これにより、呼び登録にしたがって、エレベーターが運転される。
【００１５】
図７は、この発明の実施の形態１によるエレベーター運転操作システムの専用呼び登録時の動作を示すフローチャートである。
次に、図７により、専用呼び登録について説明する。
図２の基本画面で、車椅子釦４に触れた後、行先釦３に触れる（ステップＳ１１）と、行き先釦３の階床名にしたがって、車椅子利用者の専用呼びが登録される（ステップＳ１２）。これにより、エレベーターは、車椅子専用の運転に移行する。
【００１６】
図８は、この発明の実施の形態１によるエレベーター運転操作システムの特殊運転指令登録時の動作を示すフローチャートである。
次に、図８により、特殊運転指令登録について説明する。
まず、図２の基本画面のメニュー釦５に触れる（ステップＳ２１）と、資格所有者認識のためのセキュリティーチェックを、暗証番号やカードなどを用いる認証手段により行い（ステップＳ２２）、または、このセキュリティーチェックを行うことなく、図３のメニュー画面が表示される（ステップＳ２３）。
図３のメニュー画面で、エレベーターへの特殊運転指令釦６（専用運転釦６ａ、呼び戻し釦６ｂなど）に触れる（ステップＳ２４）と、エレベーターは入力された特殊運転動作に移行する（ステップＳ２６）。ステップＳ２４で、メンテナンス釦６ｄや運転手付き運転釦６ｅなど運転指令によっては、別の入力画面に切替った（ステップＳ２５）後、ステップＳ２６に行く。
また、図３のメニュー画面で、スケジュール釦７に触れる（ステップＳ２７）と、図４のスケジュール画面が表示される（ステップＳ２８）。図４のスケジュール画面で、例えば、休止動作の予約設定やその解除を行なう（ステップＳ２９）。
また、図３のメニュー画面で、戻る釦８に触れる（ステップＳ３０）と、図２の基本画面が表示される（ステップＳ３１）。
【００１７】
図９は、この発明の実施の形態１によるエレベーター運転操作システムのセキュリティシステム連動時の動作を示すフローチャートである。
次に、図９により、セキュリティシステム連動時の動作について説明する。
例えば、セキュリティーカードを持った乗客が、カードリーダー装置（認証手段）によりそのカードを照合することで、そのカードを持つ乗客に許可されている行先階が表示された行先釦１３のみをタッチパネル上に表示し、それ以外の階床の釦を表示しないようにする。図５の場合は、行先釦１３として、４階と6階が表示されている。メッセージ１４は、この行先階が限定されていることに対する説明である。
図９で、まず、乗客のセキュリティチェックを暗証番号、カードなどの照合により行なう（ステップＳ４１）。次いで、その乗客に許可されている階床が表示された行先釦１３のみを図５のように表示する（ステップＳ４２）。次いで、許可された行先釦１３が、操作されることで、呼びを登録する（ステップＳ４３）。
これにより、エレベーターは、乗客が許可された階床にしか行かなくなり、セキュリティの確保に貢献することができる。
【００１８】
なお、図５のような画面を表示するためのセキュリティーブロック（認証手段）としてカードの他に、暗証番号入力、音声認識、指紋照合などの適用が考えられる。
また、当然ながら図２のメニュー釦５を表示することや、図３のスケジュール釦７を表示することに対しても、使用者を限定するセキュリティーブロックをかけることが考えられる。場合によっては、一般乗客、会社役員、ビル設備管理者、エレベーター保守員などの違いによって利用できる釦、及び画面を変えることも可能である。
【００１９】
実施の形態１によれば、かご内及び乗場に設置される全ての釦やスイッチ類をタッチパネルへ移行することが可能であるため、デザイン性に優れ、また機能の拡張性にも優れた運転操作システムとすることができる。
また、オプション動作の追加削除がハードウェア機器の変更なく、容易に実施可能となる。
また、セキュリティーシステムや暗証番号入力などを介して、利用者によって画面を切り換えて使用することなどにより、タッチパネルで操作できる内容を人によって制限することができ、セキュリティーレベルの向上が可能である。
【図面の簡単な説明】
【００２０】
【図１】この発明の実施の形態１によるエレベーター運転操作システムのシステムダイヤグラムを示すブロック図である。
【図２】この発明の実施の形態１によるエレベーター運転操作システムのタッチパネルの基本画面例を示す図である。
【図３】この発明の実施の形態１によるエレベーター運転操作システムのタッチパネルのメニュー画面例を示す図である。
【図４】この発明の実施の形態１によるエレベーター運転操作システムのタッチパネルのスケジュール画面例を示す図である。
【図５】この発明の実施の形態１によるエレベーター運転操作システムのセキュリティーシステムと連動した場合のタッチパネルの画面例を示す図である。
【図６】この発明の実施の形態１によるエレベーター運転操作システムの一般呼び登録時の動作を示すフローチャートである。
【図７】この発明の実施の形態１によるエレベーター運転操作システムの専用呼び登録時の動作を示すフローチャートである。
【図８】この発明の実施の形態１によるエレベーター運転操作システムの特殊運転指令登録時の動作を示すフローチャートである。
【図９】この発明の実施の形態１によるエレベーター運転操作システムのセキュリティシステム連動時の動作を示すフローチャートである。
【符号の説明】
【００２１】
１  タッチパネル、２  メッセージ、３  行先釦、４  車椅子釦、
５  メニュー釦、６  特殊運転指令釦、７  スケジュール釦、８  戻る釦、
９  時間帯、１０  時間設定釦、１１  設定釦、１２  解除釦、
１３  行先釦、１４  メッセージ、
１５  エレベーター制御盤、１６  かごステーション、
１７  乗場ステーション、１８  かごタッチパネル、
１９  乗場タッチパネル、２０  群管理盤。
【図１】
2006282308.tif 000003
【図２】
2006282308.tif 000004
【図３】
2006282308.tif 000005
【図４】
2006282308.tif 000006
【図５】
2006282308.tif 000007
【図６】
2006282308.tif 000008
【図７】
2006282308.tif 000009
【図８】
2006282308.tif 000010
【図９】
2006282308.tif 000011